(57)【要約】手持ち式カメラ（３２）用の手持ち式スタビライザーホルダー（１０）は、ハンドグリップ（１８）とハンドグリップから間隔をおいて配置された旋回軸式取付部（２０）とを有する第１のフレーム（１２、１４、１６）と、旋回軸式取付部において第１フレームに旋回可能に取り付けられた第２のフレーム（２２）と、ホルダーの旋回によりカメラ（３２）がその向きを維持するように旋回軸式取付部の下に配置された第２フレーム上のカメラマウント（２６）と、を備える。
2004538516.tif 000002
【特許請求の範囲】
【請求項１】
手持ちカメラ用のスタビライザーホルダーであって、
ハンドグリップと前記ハンドグリップから間隔をおいて配置された旋回軸式取付部と有する第１のフレームと、
前記旋回軸式取付部において前記第１フレームに旋回可能に取り付けられた第２のフレームと、
前記カメラが振り子のように機能するように前記旋回軸式取付部の下に配置された前記第２フレーム上のカメラマウントと、
を備えるスタビライザーホルダー。
【請求項２】
前記旋回軸式取付部は、直交する軸回りに旋回する、請求項１に記載のスタビライザーホルダー。
【請求項３】
前記旋回軸式取付部は、常時、操作中の前記ハンドグリップの真上に配置されている、請求項１に記載のスタビライザーホルダー。
【請求項４】
前記第２フレームは、カメラ内のカメラを常時一定の水平方向に維持するフォーバーリンク機構である、請求項１に記載のスタビライザーホルダー。
【請求項５】
前記旋回軸式取付部は、直交する軸回りに旋回する、請求項４に記載のスタビライザーホルダー。
【請求項６】
前記第１フレームは上部アームと下部アームとを備えた略Ｃ形状を有し、前記旋回軸式取付部は前記上部アームの外側端部上にある、請求項１に記載のスタビライザーホルダー。
【請求項７】
前記ハンドグリップは、前記下部アームに取り付けられている、請求項６に記載のスタビライザーホルダー。
【請求項８】
前記第２フレームは、前記旋回軸に対し直角に延びる細長いアームである
請求項６に記載のスタビライザーホルダー。
【請求項９】
前記第２フレームは、その外側端部にカメラが取り付けられた場合に、常時水平に延びる、請求項７に記載のスタビライザーホルダー。
【請求項１０】
手持ちカメラ用の手持ちスタビライザーホルダーであって、
上部アーム及び下部アームを備えた略Ｃ形状を有し、前記上部アーム上に旋回軸式取付部があり、前記旋回軸式取付部から間隔をおいてハンドグリップが配置されている第１のフレームと、
前記旋回軸式取付部において前記第１フレームに旋回可能に取り付けられた第２のフレームと、
カメラが振り子のように機能するように、前記カメラを前記旋回軸式取付部の下に位置させるよう配置された第２フレーム上のカメラマウントと、
を備えるスタビライザーホルダー。
【請求項１１】
前記第２フレームは、直交する水平軸回りに旋回するように旋回可能に取り付けられている、請求項１０に記載のスタビライザーホルダー。
【請求項１２】
前記第２フレームは、カメラ内のカメラを常時一定の水平方向に維持するフォーバーリンク機構である、請求項１０に記載のスタビライザーホルダー。
【請求項１３】
前記旋回軸式取付部は、直交する軸回りに旋回する、請求項１２に記載のスタビライザーホルダー。
【請求項１４】
前記第２フレームは、略鉛直に配置され、かつ、前記旋回軸式取付部を形成する上部バー及びカメラマウントを画定する下部バーに旋回可能に取り付けられた、一対の略Ｃ字状に成形されたリンク機構部材を有する、請求項１２に記載のスタビライザーホルダー。
【請求項１５】
前記旋回軸式取付部は、直交する軸の回りに旋回するように構成された第１及び第２の旋回軸を含む、請求項１４に記載のスタビライザーホルダー。
【請求項１６】
手持ちカメラ用の手持ちスタビライザーホルダーであって、
上部アーム及び下部アームを備えた略Ｃ形状を有し、旋回軸式取付部が前記上部アームの外側端部にあり、ハンドグリップが前記下部アームにあって前記旋回軸式取付部とほぼ一直線に揃えられている第１のフレームと、
前記上部アームの長手軸回りに旋回するように、前記旋回軸式取付部において前記第１フレームに旋回可能に取り付けられた第２のフレームと、
カメラの重量が振り子のように機能するように、前記カメラを前記旋回軸式取付部の下に位置させるよう造られかつ構成された第２フレーム上のカメラマウントと、
を備えるスタビライザーホルダー。
【請求項１７】
前記第２フレームは、直交する水平軸回りに旋回するように旋回可能に取り付けられている、請求項１６に記載のスタビライザーホルダー。
【請求項１８】
前記第２フレームは、カメラ内のカメラを常時一定の水平方向に維持するフォーバーリンク機構である、請求項１７に記載のスタビライザーホルダー。
【請求項１９】
前記第２フレームは、略鉛直に配置され、かつ、前記旋回軸式取付部を形成する上部バー及びカメラマウントを画定する下部バーに旋回可能に取り付けられた、一対の略Ｃ字状に成形されたリンク機構部材を有する、請求項１２に記載のスタビライザーホルダー。
【請求項２０】
前記旋回軸式取付部は、直交する軸回りに旋回するように構成された第１及び第２の旋回軸を含む、請求項１９に記載のスタビライザーホルダー。
【発明の詳細な説明】
【技術分野】
【０００１】
本発明は、概してムービーカメラに関し、特に、手持ち式ムービーカメラを安定させるための改良されたホルダーに関する。
【背景技術】
【０００２】
一般的な人にとっては、どのような対象を撮影するときにも手持ち式カメラ又はビデオカメラを無理なく安定に保持することは困難である。普通の人々にとっては、特に動く対象を撮影しているときによい映像を得ることが困難である。これは、操作者が動いていようが、静止して立っていようが、また特に操作者が動いていると同時に動いている対象においても困難である。手持ち式のムービー及びビデオカメラを安定に保持することができないということは、しばしば、ぼけて、ぎくしゃくし、かつ、不安定な画像という結果に終わる。
【０００３】
過去に、操作者が動いているときにカメラを安定させるための手段を提供するという幾つかの試みがなされている。これらの試みは、主として、大型商業用カメラに向けられており、スプリングに支えられたカメラ支持フレーム付きの大きなハーネスの提供を伴っていた。
【０００４】
発明者は、普通の消費者用のパーソナルカメラの安定な支持を提供するためのいかなる取り組みも知らない。
【０００５】
パーソナル手持ち式ムービーカメラ用の安定化ホルダーに関する需要が明らかにある。
【０００６】
（発明の開示）
本発明の第一の目的は、従来技術の上記問題を解決するパーソナル手持ち式ムービーカメラ用の安定化ホルダーを提供することである。
【０００７】
本発明の第一の側面によれば、手持ち式ムービーカメラは、ハンドグリップと前記ハンドグリップから間隔をおいて配置された旋回軸式取付部とを有する第１のフレームと、前記旋回軸式取付部において前記第１フレームに旋回可能に取り付けられた第２のフレームと、前記カメラが振り子のように機能するように旋回軸式取付部の下に配置された前記内側フレーム部材上のカメラマウントと、を備える。
【０００８】
本発明の上記及び他の目的並びに利点は、下記の記載を添付の図面とともに読むことにより明らかになるであろう。
【発明を実施するための最良の形態】
【０００９】
本発明は、前述した従来技術の問題を手持ち式ムービーカメラ用の装置によって解決するものであり、その装置は、ハンドグリップとハンドグリップから間隔をおいて配置された旋回軸式取付部（ピボットマウント）とを有する第１のフレームと、前記旋回軸式取付部において前記第１フレームに旋回可能に取り付けられた第２のフレームと、前記カメラが振り子のように機能するように前記旋回軸式取付部の下に配置された前記第２フレーム上のカメラマウントと、を備える。
【００１０】
ここで図面、特に図１をより具体的に参照すると、手持ち式カメラ用の手持ち式スタビライザーホルダーが描かれており、概して符号１０が付されている。スタビライザーホルダーは、概ね鉛直のセンターバー１２と上部アーム１４と下部アーム１６とを有する概ねＣ形状の第１のフレームを備えている。下部アームは外側へ水平に延びており、ハンドグリップ１８がその中央に固定され、下方へ延びている。図示されたハンドグリップは、把持及び保持することを容易にする概ね従来のデザインからなる。スタビライザーホルダーは、図１に図示するように、好ましくは鉛直に保持されるように設計されている。
【００１１】
図示された実施形態ではスタッド又はボルトである水平旋回軸式取付部又はピン２０が、上部アーム１４の外側の端部に取り付けられている。旋回軸式取付部はハンドグリップの真上に間隔をおいて配置されており、第２のすなわち内側のフレーム又はアーム２２を旋回可能に取り付けられるようになっている。第２フレーム２２が前記取付部において第１フレームに旋回可能に取り付けられている。第２フレーム２２は、ほぼ水平に延び、かつ、外側の端部にクイック連結カメラ取付け（マウント）アセンブリ２６を有するもの細長いアームとしてとして描かれている。クイック連結マウントは、ボルト２８及び蝶ナット３０を備えた従来構造からなり、仮想線で示されたビデオカメラの上部のカメラマウントに着脱可能に連結できるようになっている。示されているように、カメラは旋回軸（ピボット）２０の下に取り付けられ、つり下げられて、自由に揺れることができ、ホルダーが前後に傾けられた場合は水平状態を維持する。これは、カメラへの操作者運動入力(operator movement input)の一成分を取り除く簡単なスタビライザー構造である。
【００１２】
操作時、カメラは通常、図１に示すように、直立姿勢のホルダー内に保持される。操作者がホルダーを前後に傾けると、カメラは軸２０回りに旋回し、すなわち傾き、水平状態を維持する。ホルダーの構造は、ローアングル撮影用にカメラを操作者の腰よりも下まで下ろせるように、図２に示すように、グリップを上の位置にした状態にホルダーを配置することを可能にしている。ホルダーは、図１の操作モードと同様に、長手軸前後方向の操作者入力傾き(operator input tilt)を取り除くという同様の安定化効果を有する。
【００１３】
図３を参照すると、本発明の代替の実施形態が図示されており、概して符号３６が付されている。本実施形態は、ホルダー全体の様々な部品の図示を簡単にするという目的のみのために、そのメインフレームすなわち外側フレームが最も上の位置にある状態で図示されている。この実施形態は、上部アーム４０と下部アーム４２とを有する、概して外側に湾曲したいくぶんＶ形状の鉛直センターバー３８を有する概ねＣ形状の第１フレームすなわち外側メインフレームを備えている。鉛直、水平、上部及び下部という用語は、単に理解の容易のために、ホルダーの好ましい通常の使用ではという意味でのみ用いられている。下部アームは、外向きに水平に延びており、その中央に取り付けられ又は固定された、下方に延びるハンドグリップ４４を含んでいる。ハンドグリップは、一般的な従来構造からなるが、把持及び保持を容易にするための特注のデザインからなるものであってもよい。スタビライザーホルダーは、図１に当該実施形態について図示されているのと同様に、鉛直に保持されるように造られ、かつ、構成されている。
【００１４】
図示された実施形態においてスタッド又はボルトである水平旋回軸式取付部、すなわちピン４６は、上部アーム４０の外側端部に取り付けられている。先の実施形態のように、旋回軸式取付部は、通常操作時では、ハンドグリップの真上に間隔をおいて配置される。旋回軸ピンは、フォーバーリンク機構（四棒機構）の形となっている第２のすなわち内側のフレームアセンブリを旋回可能に装着できるようになっている。第２フレームアセンブリは、旋回軸式取付部において第１フレームに旋回可能に取り付けられている。
【００１５】
第２フレームアセンブリは、ジャーナルブロック４８並びにブロック４８に取り付けられた一対のジャーナルブロック５０及び５２からなる上部バーを有するフォーバーリンク機構として図示されている。一組の細長くほぼＣ形状の鉛直バー５４は、それぞれ、上部水平アーム５６及び下部水平アーム５８を有する。上部アーム５６はブロック５０及び５２内で旋回するようにジャーナル支持され、下部アーム５８は一対のジャーナル（図示せず）内で旋回又は回転するように取付プラットフォーム６０に取り付けられている。取付プラットフォーム６０は、フォーバーリンク機構の四番目のバーを形成しており、仮想線で示されるカメラ６２を搭載する。このリンク機構は、カメラが鉛直方向に揺れることなく前後方向に動くことを可能にする。旋回軸４６は、カメラの水平軸が動くことなくハンドグリップ及び外側フレームが水平軸回りに旋回することを可能にする。
【００１６】
ジャーナルブロック４８並びに一対のジャーナルブロック５０及び５２からなるフォーバーリンク機構の上部バーは、カメラの長手軸に概ね平行である別の水平旋回軸シャフト、すなわちピン６４を含む。この旋回軸又はスイベルは、カメラ及びグリップが互いに相対的にこの水平軸回りに横方向に動くことを可能にし、このことは、別の操作者入力運動(operator input motion)をカメラから絶縁するように取り除く。フォーバーリンク機構のこの上部リンク機構にレバーアームが取り付けられ、操作者が外側フレーム及びハンドグリップに対して相対的にカメラを前後に揺らすことが可能になっている。カメラは、この動きの間、水平を維持する。
【００１７】
クイック連結カメラマウント６６がブロック４８上に示されている。このようなマウントは、好ましくは取付プラットフォーム６０上にもあり、プラットフォームへのカメラの取り付け又は取り外しを簡単にするために、プラットフォームは、好ましくは、バー５４から離れた側に旋回又はスイングするように取り付けられている。ホルダーは、好ましくは、カメラの上部又はカメラの底部にある取付部によりカメラが取り付けられることができるように造られ、かつ、構成されている。クイック連結マウントは従来構造からなり、仮想線で示されているビデオカメラの上部又は底部のカメラマウントに着脱可能に連結できるようになっている。示されているように、カメラはジンバル又は旋回軸の下に取り付けられ、ぶら下がり、自由に揺れ動くことができ、ホルダーが前後に傾けられた場合に水平を維持する。これは、カメラへの操作者運動入力(operator movement input)の一成分を取り除く簡単なスタビライザー構造である。
【００１８】
図４及び５を参照すると、本発明の他の実施形態が図示されている。ホルダーの内側フレーム、すなわちカメラ取付フレームが図４に図示されており、概して符号７０を付されている。フレームは細長いアーム、すなわちフレーム部材７２を備え、フレーム部材７２は内側端部７４を有し、内側端部７４はその長手軸回りに回転するように軸受け７６内に取り付けられており、軸受け７６はピボットリンク又はアーム８０内の孔７８に取り付けられている。アーム又はリンク８０は、前述した実施形態と同様に外側フレーム１０２の旋回軸ピン８６を装着するために、軸受け８４内に横孔８２を有する（図５）。
【００１９】
クイック連結カメラマウントはフレーム又はアーム７２の外側端部８６上にあり、カメラに取り付けるため、かつ、ネジが切られている管状のシャフトボルト９２の矩形ヘッド９０を収容するためのスロット部材８８を含む。ネジが切られているディスクナット９４がボルト９２のネジが切られている外面にネジ止めされ、カメラの上部にある部材８８内の適所にヘッド９０を締め付ける。ボルト９２は、フレーム部材７２の段付き孔９６内に取り付けられ、蝶ボルト９８により固定される。このホルダーの実施形態は、直交する水平軸回りに旋回可能なように（仮想線で示す）ビデオカメラ１００を取り付けることを可能にし、カメラへの望ましくない動きの操作者入力を減らす。第１及び第２フレームのいずれか又は双方がＵ字形状又は閉じたループ形状に形成されてもよく、様々な他の形状を有してもよいことは自明であろう。ホルダーのいずれも三脚、一脚、スプリング・ベスト(springed vests)、遠隔操作モデルカーその他等のあらゆる可動式の又は静止した支持体上に取り付けることができる。
【００２０】
操作時、カメラは、図１及び５に示すようにホルダーの直立姿勢の中に常時保持される。操作者がホルダーを前後に又は横から横へと傾けると、カメラは水平軸回りに傾き又は旋回し、水平を維持する。ホルダーの構造は、図２及び３に示すように、グリップが上側の位置にある状態にホルダーを配置することを可能にし、ローアングルの撮影用に操作者の腰よりも下までカメラを下げることを可能にする。ホルダーは、図１における操作モードと同じように、長手軸前後方向の操作者入力傾きを取り除くという安定化効果を有する。
【００２１】
特定の実施形態を用いて発明を図示かつ記載したが、添付のクレームの範囲によってのみ限定されるべき本発明の趣旨及び範囲から逸脱することなく、本発明において種々の変更及び修正を行えることは理解されるであろう。
【図面の簡単な説明】
【００２２】
【図１】図１は、本発明の第１の例示的な実施形態の斜視図である。
【図２】図２は、図１の実施形態の代替の操作モードにおける斜視図である。
【図３】図３は、本発明の代替の実施形態における図２と同様の図である。
【図４】図４は、本発明の他の実施形態の一部分の側面立面分解図である。
【図５】図５は、図４の実施形態の完全な組立体の側面立面図である。
【国際公開パンフレット】
2004538516.tif 000003
2004538516.tif 000004
2004538516.tif 000005
2004538516.tif 000006
2004538516.tif 000007
2004538516.tif 000008
2004538516.tif 000009
2004538516.tif 000010
2004538516.tif 000011
2004538516.tif 000012
2004538516.tif 000013
2004538516.tif 000014
2004538516.tif 000015
2004538516.tif 000016
2004538516.tif 000017
2004538516.tif 000018
2004538516.tif 000019
【国際調査報告】
2004538516.tif 000020
2004538516.tif 000021
2004538516.tif 000022